(57)【要約】【課題】インクリボン交換時に試し印字を必ず実施されるようにし、インクリボンのセットミスを防止することができるようにする。【解決手段】本発明は、交換可能なインクリボン収納部を有し、インクリボン収納部に収納されるインクリボンを用いて媒体に印字する印字手段を備える取引装置において、インクリボン収納部の印字手段の取り付け又は取り外しを検知する検知手段と、印字手段に取り付けられているインクリボン収納部の取り外しを示す検知情報を検知手段から取得すると、印字手段による試し印字が実施されるまで、印字手段の通常印字処理を規制する制御手段とを備えることを特徴とする取引装置である。【選択図】      図１
2013244612.tif 000002
【特許請求の範囲】
【請求項１】
交換可能なインクリボン収納部を有し、前記インクリボン収納部に収納されるインクリボンを用いて媒体に印字する印字手段を備える取引装置において、
前記インクリボン収納部の前記印字手段の取り付け又は取り外しを検知する検知手段と、
前記印字手段に取り付けられている前記インクリボン収納部の取り外しを示す検知情報を前記検知手段から取得すると、前記印字手段による試し印字が実施されるまで、前記印字手段の通常印字処理を規制する制御手段と
を備えることを特徴とする取引装置。
【請求項２】
前記制御手段が、前記インクリボン収納部の取り外しを示す検知情報を前記検知手段から取得すると、前記通常印字処理を規制する試し印字フラグを設定し、前記試し印字の実施後、前記試し印字フラグを解除するフラグ付与部を有し、
前記印字手段が、前記試し印字フラグが設定されている間、通常印字処理を実施できないものである
ことを特徴とする請求項１に記載の取引装置。
【請求項３】
前記制御手段が、前記インクリボン収納部の取り外し後、前記インクリボン収納部の取り付けを示す検知情報を前記検知手段から取得すると、前記印字手段に試し印字を実行させる試し印字実行部を有することを特徴とする請求項２に記載の取引装置。
【請求項４】
前記制御手段が、前記インクリボン収納部の取り外しを示す検知情報を前記検知手段から取得してから、前記印字手段がセットされた場合、前記検知手段から検知情報に基づいて、前記インクリボン収納部の取り付けがなされていないとき、前記インクリボン収納部が正常に取り付けされていないことを表示するものであることを特徴とする請求項２又は３に記載の取引装置。
【請求項５】
試し印字用媒体を収納する媒体収納手段を更に備え、
前記制御手段が、
前記インクリボン収納部の取り外し後、前記インクリボン収納部の取り付けを示す検知情報を前記検知手段から取得すると、前記媒体収納手段に前記試し印字用媒体があるか否かを確認する試し印字用媒体確認部と、
前記試し印字用媒体確認部により前記試し印字用媒体がある場合に、前記媒体収納手段から繰り出した前記試し印字用媒体を用いて、前記印字手段に試し印字を実行させる試し印字実行部と
を有することを特徴とする請求項１〜４のいずれかに記載の取引装置。
【請求項６】
それぞれ種類の異なる試し印字用媒体を収納する複数の媒体収納手段を備え、
前記制御手段が、
前記複数の媒体収納手段のうち、いずれの媒体収納手段を選択する選択手段と、
前記インクリボン収納部の取り外し後、前記インクリボン収納部の取り付けを示す検知情報を前記検知手段から取得すると、前記選択手段により選択された前記媒体収納手段に前記試し印字用媒体があるか否かを確認する試し印字用媒体確認部と、
前記試し印字用媒体確認部により前記試し印字用媒体がある場合に、前記媒体収納手段から繰り出した前記試し印字用媒体を用いて、前記印字手段に試し印字を実行させる試し印字実行部と
を備えることを特徴とする請求項１〜４のいずれかに記載の取引装置。
【請求項７】
交換可能なインクリボン収納部を有し、前記インクリボン収納部に収納されるインクリボンを用いて媒体に印字する印字手段と、
前記インクリボン収納部の前記印字手段の取り付け又は取り外しを検知する検知手段と
を備える取引装置のインクリボン交換プログラムにおいて、
コンピュータを、
前記印字手段に取り付けられている前記インクリボン収納部の取り外しを示す検知情報を前記検知手段から取得すると、前記印字手段による試し印字が実施されるまで、前記印字手段の通常印字処理を規制する制御手段として機能させるものであることを特徴とするインクリボン交換プログラム。
【請求項８】
制御手段と、
交換可能なインクリボン収納部を有し、前記インクリボン収納部に収納されるインクリボンを用いて媒体に印字する印字手段と、
前記インクリボン収納部の前記印字手段の取り付け又は取り外しを検知する検知手段と
を備える取引装置のインクリボン交換方法において、
前記検知手段が、前記印字手段に取り付けられている前記インクリボン収納部の取り外しを検知する工程と、
前記制御手段が、前記印字手段に取り付けられている前記インクリボン収納部の取り外しを示す検知情報を前記検知手段から取得すると、前記印字手段による試し印字が実施されるまで、前記印字手段の通常印字処理を規制する工程と
を有することを特徴とするインクリボン交換方法。
【発明の詳細な説明】
【技術分野】
【０００１】
本発明は、取引装置、インクリボン交換プログラム及びインクリボン交換方法に関するものであり、例えば、自動取引装置等のように、印字ユニットを備える取引装置に適用し得るものである。
【背景技術】
【０００２】
従来、自動取引装置（ＡＴＭ：Automatic  Teller  Machine）は、通帳や帳票等に取引内容を印字するための印字ユニットを有している。
【０００３】
例えば、印字ユニットのインクリボンが交換時期になると、印字薄れ等が生じてしまい、そのままの状態で取引を行なってしまうと、通帳記入等が正しくなされず、顧客サービスの低下を招いてしまう。特許文献１の記載技術は、印字薄れを検出すると、印字薄れ情報を表示してインクリボンの交換を促すものである。
【０００４】
ところで、インクリボンの交換を行なう場合、自動取引装置の印字ユニットに収められているインクリボンカセットをはずし、新しいインクリボンカセットをセットすることが必要である。このとき、新しいインクリボンが正しくセットされているか否かを確認するため、所定の操作手順に従って試し印字を行なうことが必要である。
【先行技術文献】
【特許文献】
【０００５】
【特許文献１】特開平１０−１９３７６１号公報
【発明の概要】
【発明が解決しようとする課題】
【０００６】
しかしながら、インクリボンの交換は金融機関の従業員や保守者等が行なうのが一般的であり、インクリボンを交換する者によっては、インクリボンの交換後に、試し印字をし忘れてしまうことがある。このような場合、インクリボンが正しくセットされていない等のミスを確認できないので、通帳等に印字されない空印字が生じ得、顧客へのサービス低下が問題となる。
【０００７】
そのため、インクリボン交換時に試し印字を行ない、インクリボンのセットミスを防止することができる取引装置、インクリボン交換プログラム及びインクリボン交換方法が求められている。
【課題を解決するための手段】
【０００８】
かかる課題を解決するために、第１の本発明は、交換可能なインクリボン収納部を有し、インクリボン収納部に収納されるインクリボンを用いて媒体に印字する印字手段を備える取引装置において、（１）インクリボン収納部の印字手段の取り付け又は取り外しを検知する検知手段と、（２）印字手段に取り付けられているインクリボン収納部の取り外しを示す検知情報を検知手段から取得すると、印字手段による試し印字が実施されるまで、印字手段の通常印字処理を規制する制御手段とを備えることを特徴とする取引装置である。
【０００９】
第２の本発明は、交換可能なインクリボン収納部を有し、インクリボン収納部に収納されるインクリボンを用いて媒体に印字する印字手段と、インクリボン収納部の印字手段の取り付け又は取り外しを検知する検知手段とを備える取引装置のインクリボン交換プログラムにおいて、コンピュータを、印字手段に取り付けられているインクリボン収納部の取り外しを示す検知情報を検知手段から取得すると、印字手段による試し印字が実施されるまで、印字手段の通常印字処理を規制する制御手段として機能させるものであることを特徴とするインクリボン交換プログラムである。
【００１０】
第３の本発明は、制御手段と、交換可能なインクリボン収納部を有し、インクリボン収納部に収納されるインクリボンを用いて媒体に印字する印字手段と、インクリボン収納部の前記印字手段の取り付け又は取り外しを検知する検知手段とを備える取引装置のインクリボン交換方法において、（１）検知手段が、印字手段に取り付けられているインクリボン収納部の取り外しを検知する工程と、（２）制御手段が、印字手段に取り付けられているインクリボン収納部の取り外しを示す検知情報を検知手段から取得すると、印字手段による試し印字が実施されるまで、印字手段の通常印字処理を規制する工程とを有することを特徴とするインクリボン交換方法である。
【発明の効果】
【００１１】
本発明によれば、インクリボン交換時に試し印字がなされるまで、印字動作を行なわないようにするため、インクリボンのセットミスを防止することができる。
【図面の簡単な説明】
【００１２】
【図１】第１の実施形態の自動取引装置の内部構成を示す内部構成図である。
【図２】第１の実施形態の自動取引装置の構成を示す構成図である。
【図３】印字ユニットの外観構成を示す外観構成図である。
【図４】印字ユニットのインクリボンカセットの装着を説明する説明図である。
【図５】第１の実施形態の自動取引装置におけるインクリボンカセットの交換処理を説明するフローチャートである。
【図６】第２の実施形態の自動取引装置の構成を示す構成図である。
【図７】第２の実施形態の自動取引装置の内部構成を示す内部構成図である。
【図８】第２の実施形態の自動取引装置におけるインクリボンカセットの交換処理を説明するフローチャートである。
【図９】第３の実施形態の自動取引装置の構成を示す構成図である。
【図１０】第３の実施形態の自動取引装置の内部構成を示す内部構成図である。
【発明を実施するための形態】
【００１３】
（Ａ）第１の実施形態
以下では、本発明の取引装置、インクリボン交換プログラム及びインクリボン交換方法の第１の実施形態について図面を参照しながら詳細に説明する。
【００１４】
第１の実施形態は、例えば金融機関等に設置されている、通帳等に記帳を行なう印字ユニットを備える自動取引装置に、本発明を適用する場合の実施形態を例示する。
【００１５】
（Ａ−１）第１の実施形態の構成
図２は、第１の実施形態の自動取引装置（以下、ＡＴＭともいう）の構成を示す構成図である。
【００１６】
図２において、第１の実施形態のＡＴＭ１は、印字ユニット１１、操作表示部１２、カード入出口１３、紙幣入出口１４、硬貨入出口１５、通帳入出口１６を有する。
【００１７】
ＡＴＭ１は、例えば、銀行、コンビニエンスストア、駅、ホテル等に設置されるものであり、預け入れ取引、引き出し取引、残高照会等の金融取引を行なうものである。
【００１８】
印字ユニット１１は、ＡＴＭ１内部に搭載されており、通帳入出口１６等から挿入された通帳に取引内容を印字する印字装置である。印字ユニット１１は、印字ヘッドを印字方向に移動させながらインクリボンを用いて印字するものである。
【００１９】
印字ユニット１１は、例えばＡＴＭ１の背面から取り出し又は装着可能な構成となっている。そのため、印字ユニット１１のインクリボンカセットを交換する場合、作業員が、ＡＴＭ１の背面から印字ユニット１１を取り出し、印字ユニット１１のインクリボンカセットを交換することが行なわれる。
【００２０】
図３は、印字ユニット１１の外観構成を示す外観構成図である。図３において、印字ユニット１１は、インクリボンカセット１１１、印字ヘッド１１２を有する。
【００２１】
インクリボンカセット１１１は、インクリボン１１３を収納するものであり、インクリボン１１３の交換を行なうときには、インクリボンカセット１１１ごと交換される。
【００２２】
新しいインクリボンカセット１１１がセットされると、インクリボン１１３はインクリボンカセット１１１から引き出され、引き出されたインクリボン１１３はインクリボンガイド部１１５に掛けられ、印字ヘッド１１２の先端面にインクリボン１１３が配置される。これにより、印字方向に移動する印字ヘッド１１２による印字が可能となる。
【００２３】
印字ヘッド１１２は、スライドシャフト１１４に沿って印字方向に移動可能なものであり、既存の種々の印字ヘッドを広く適用することができる。
【００２４】
また、印字ユニット１１は、印字ヘッド１１２に先端面の上にインクリボン１１３が配置されることを保持するリボンプロテクタ１１６を有している。インクリボンカセット１１１の交換の際、リボンプロテクタ１１６と印字ヘッド１１２との間にインクリボン１１３を挟み込むことで、インクリボン１１３の位置を固定する。
【００２５】
図４は、印字ユニット１１のインクリボンカセット１１１の装着を説明する説明図である。図４において、インクリボンカセット１１１を装着する際に、インクリボンカセット１１１の下部を支点として、インクリボンカセット111を回転させて、インクリボンカセット１１１の両端上部にある係合部１１９を、ステージ１１７の溝部１１８に差し込み、インクリボンカセット１１１を装着する。
【００２６】
ここで、図４において、ステージ１１７には、インクリボンカセット１１１の装着又は取り外しを検知するインクリボンカセット装着検知部２３が設けられている。
【００２７】
インクリボンカセット装着検知部２３は、インクリボンカセット１１１の装着を検知することができれば種々の検知手段を適用することができ、例えば、装着されたインクリボンカセット１１１から物理的な圧力を検知する圧力センサや、送光素子及び受光素子を有する光学センサ等を適用できる。
【００２８】
また、インクリボンカセット装着検知部２３が設けられる位置は、センサ種類にもよるが、インクリボンカセット１１１の装着を検知することができれば、例えば、ステージ１１７の中央部、ステージ１１７の両端部、又ステージ１１７の溝部１１８に設けられるようにしてもよい。
【００２９】
操作表示部１２は、例えば、取引種類の選択メニュー画面、各取引の操作画面、取引内容の確認画面等を表示したり、利用者が入力した入力情報を取り込んだりするものである。操作表示部１２は、例えば、タッチパネル方式の操作表示部を適用することができる。なお、操作表示部１２は、操作部と表示部とが一体となったタッチパネル方式のものに限らず、操作部と表示部とがそれぞれ物理的に別の構成のものであってもよい。
【００３０】
カード入出口１３は、利用者がキャッシュカードを挿入したり又はキャッシュカードを取り出したりするものである。
【００３１】
紙幣入出口１４は、利用者が紙幣を挿入したり又は紙幣を取り出したりするものである。硬貨入出口１５は、利用者が硬貨を投入したり又は硬貨を取り出したりするものである。
【００３２】
通帳入出口１６は、利用者が通帳を挿入したり又は通帳を取り出したりするものである。
【００３３】
図１は、第１の実施形態の自動取引装置１の内部構成を示す内部構成図である。
【００３４】
図１において、自動取引装置１は、制御部２１、印字ユニット２２、インクリボンカセット検知部２３、通帳制御部２４、操作表示制御部２５、カード制御部２６、現金制御部２７、記憶部２８、通信部２９を有する。
【００３５】
制御部２１は、自動取引装置１の全体機能を司るものである。例えば、制御部２１は、記憶部２８に格納される処理プログラムを実行することにより自動取引装置１の機能を実現するものである。
【００３６】
図１には、第１の実施形態の制御部２１が実行する主な機能部を示しており、制御部２１は、通帳への記帳中止操作が行なわれた後に、インクリボンカセット１１１の交換処理を制御するインクリボンカセット交換処理制御部２１１を有する。
【００３７】
インクリボンカセット交換処理制御部２１１は、図１に示すように、検知情報取得部３１、試し印字フラグ付与部３２、試し印字実行部３３を有する。
【００３８】
検知情報取得部３１は、インクリボンカセット装着検知部２３から、インクリボンカセット１１１の装着又は取り外しを示す検知情報を取得するものである。
【００３９】
検知情報取得部３１は、通帳の記帳中止操作がなされた後、インクリボンカセット１１１が取り外されると、インクリボンカセット装着検知部２３からリボンカセット１１１が外された旨の検知情報を取得する。
【００４０】
また、新しいインクリボンカセット１１１が取り付けられると、インクリボンカセット装着検知部２３からインクリボンカセット１１１の装着の旨の検知情報を取得する。
【００４１】
なお、インリボンカセット装着部２３は、インクリボンカセット１１１が取り外されている間、検知情報（センス信号）を継続的に出力するものであっても良いし、又は、例えば取り外しの旨を示す検知情報（センス信号）を１回又は間欠的に出力するものであっても良い。継続的に検知情報が出力される場合、検知情報取得部３１は、検知情報が与えられている間、インクリボンカセット１１１が取り外されているものと判断でき、又は、一回又は間欠的に検知情報が出力される場合には、取り外しの旨の検知情報の取得後、装着の旨の検知情報を取得することで、インクリボンカセット１１１の装着又は取り外しを判断できる。
【００４２】
印字フラグ付与部３２は、インクリボンカセット１１１の取り外しの検知情報を取得すると、試し印字フラグをＯＮにするものである。また、印字フラグ付与部３２は、試し印字フラグをＯＮとした後、後述する試し印字実行部３３による試し印字が実行されると、試し印字をＯＦＦにするものである。
【００４３】
ここで、試し印字フラグは、インクリボンカセット１１１の交換の際、試し印字がなされるまで、印字ユニット１１の印字動作を規制するフラグである。
【００４４】
試し印字フラグＯＮは、インクリボンカセット１１１が取り外された後、試し印字が実行されていないことを示し、試し印字フラグＯＦＦは、試し印字が実行されたことを示す。
【００４５】
印字ユニット１１は、利用者により印字動作（通帳記入）の開始操作がなされても、試しフラグがＯＮのときには、印字動作を実行することはできない。これにより、インクリボンカセット１１１の交換の際、試し印字が確実に実行される。その結果、例えば、インクリボン１１３がねじれや弛みが生じており、正しく印字ヘッド１１２の先端面にインクリボン１１３が配置されていない場合に生じる空印字を防止できる。
【００４６】
試し印字実行部３３は、インクリボンカセット１１１の交換の際、印字ユニット１１の試し印字を実行するものである。試し印字の実行方法は、既存の方法と同様の方法を適用することができる。例えば、通帳入出口１６から挿入された通帳（例えば、試し印字用の通帳を利用するようにしてもよい）に試し印字用のデータに基づいて試し印字を行なう方法等を適用できる。
【００４７】
記憶部２８は、制御部２１が実行する処理プログラム、画面情報、再表示させる画面情報等を記憶するものである。
【００４８】
通信部２９は、ネットワークを介して、図示しないホストコンピュータとの間で取引情報の送受信を行なうものである。
【００４９】
通帳制御部２４は、制御部２１の制御の下、通帳入出口１６から通帳を取り込んだり又は排出したりするものである。また、通帳制御部２４は、通帳入出口１６から挿入された通帳の格納部（例えば、磁気格納部やＩＣチップ等）に格納されている通帳情報を読み取り、その通帳情報を制御部２１に与えるものである。
【００５０】
操作表示制御部２５は、制御部２１の制御の下、操作表示部１２の動作を制御するものである。操作表示制御部２５は、制御部２１から画面情報に基づいて、操作表示部１２に画面表示させたり、又操作表示部１２から入力された情報を制御部２１に与えたりするものである。
【００５１】
カード制御部２６は、制御部２１の制御の下、カード入出口１３からキャッシュカードを取り込んだり又は排出したりするものである。また、カード制御部２６は、カード入出口１３から挿入されたキャッシュカードの格納部（例えば、磁気格納部やＩＣチップ等）に格納されているカード情報を読み取り、そのカード情報を制御部２１に与えるものである。
【００５２】
現金制御部２７は、制御部２１の制御の下、紙幣入出口１４や硬貨入出口１５の動作を制御するものである。また、現金制御部２７は、紙幣入出口１４、硬貨入出口１５から投入された金銭の金額を計上し、その金額を制御部２１に与えたり、又制御部２１の指示に従って、利用者に返金すべき金銭を紙幣入出口１４、硬貨入出口１５から排出したりする。
【００５３】
（Ａ−２）第１の実施形態の動作
図５は、第１の実施形態のＡＴＭ１におけるインクリボンカセットの交換処理を説明するフローチャートである。
【００５４】
まず、ＡＴＭ１において、通帳記帳用の印字ユニットのインクリボンの交換を行なう場合、作業者は、通帳への記帳処理を中止するための記帳中止操作を行なう（Ｓ１０１）。
【００５５】
記帳中止操作は、既存の操作と同様の操作を適用することができ、例えば、作業者が操作表示部１２等で所定の手順により記帳中止を選択する方法などを適用できる。
【００５６】
記帳中止操作が行なわれた後、作業者は、ＡＴＭ１から印字ユニット１１を取り出し（Ｓ１０２）、所定の手順により印字ユニット１１からインクリボンカセット１１１を取り外す（Ｓ１０３）。
【００５７】
このとき、インクリボンカセット装着検知部２３からインクリボンカセット１１１が取り外された旨を示す検知情報（センサ情報）が、制御部２１に通知される（Ｓ１０４）。
【００５８】
インクリボンカセット１１１の取り外し手順は、特に限定されるものではないが、インクリボンカセット１１１を取り外す際、印字ヘッド１１２の先端部に配置されているインクリボン１１３が外される。すなわち、インクリボンカセット１１１の取り外しがインクリボン１１３の外れとみなせるため、インクリボンカセット１１１の取り外しの検知情報が通知されると、制御部２１はインクリボン外れを検知することになる。
【００５９】
インクリボンカセット装着検知部２３から取り外しの検知情報が制御部２１に与えられると、制御部２１のインクリボンカセット交換処理制御部２１１は、試し印字フラグをＯＮにする（Ｓ１０４）。これにより、試し印字フラグＯＮの間、記帳の開始処理が操作されても、印字ユニット１１は印字（通帳記帳）を行なうことができない。また、試し印字フラグは、試し印字が実行された後でないとＯＦＦにすることができない。従って、試し印字フラグがＯＮの間、記帳中止を解除することもできない。
【００６０】
次に、作業者は、所定の手順によって、新しいインクリボンカセット１１１を印字ユニット１１に装着し（Ｓ１０６）、印字ユニット１１をＡＴＭ１に戻す（Ｓ１０７）。
【００６１】
そうすると、制御部２１のインクリボンカセット交換処理制御部２１１は、インクリボンカセット装着検知部２３からの検知情報に基づいて、インクリボンカセット１１１が装着されているか否かを判断する（Ｓ１０８）。つまり、インクリボンカセット交換処理制御部２１１は、インクリボンカセット装着検知部２３から取り外しの旨の検知情報が通知されている場合、インクリボンカセット１１１が正常に装着されていないと判断し、装着の旨の検知情報が通知されている場合、インクリボンカセット１１１が正常に装着されていると判断する。
【００６２】
そして、インクリボンカセット１１１が正常に装着されていない場合、インクリボンカセット交換処理制御部２１１は、操作表示部１２にエラー表示を行ない（Ｓ１０９）、正常に装着されている場合、インクリボンカセット交換処理制御部２１１は、試し印字を実行する（Ｓ１１０）。これにより、印字ユニット１１は、例えば通帳入出口１６から挿入された通帳に試し印字を行なう。
【００６３】
試し印字が完了すると、インクリボンカセット交換処理制御部２１１は、試し印字フラグをＯＦＦにする（Ｓ１１１）。これにより、記帳中止が解除される。
【００６４】
なお、ＡＴＭ１において、記帳中止の解除操作（例えば、通帳記帳の開始操作等）がなされると（Ｓ１１２）、制御部２１は試し印字フラグを確認し（Ｓ１１３）、試し印字フラグがＯＦＦの場合、通帳記帳を可能とし（Ｓ１１４）、試し印字フラグがＯＮの場合、通帳中止解除操作がなされても、記帳中止解除を無効とし、通帳記帳を不可とする（Ｓ１１５）。
【００６５】
（Ａ−３）第１の実施形態の効果
以上のように、第１の実施形態によれば、インクリボンカセットの装着又は取り外れを検知するインクリボンカセット装着検知部を備え、インクリボンカセット装着検知部からの検知情報に基づいて、制御部が、試し印字がなされたか否かを示す試し印字フラグを立てることにより、試し印字フラグがＯＮの間、試し印字を実行しないと通帳記帳処理ができない。その結果、作業者によって、試し印字のし忘れを防止でき、更には、インクリボンのねじれや弛み等による装着ミスを防止できる。
【００６６】
（Ｂ）第２の実施形態
次に、本発明の取引装置、インクリボン交換プログラム及びインクリボン交換方法の第２の実施形態を、図面を参照しながら詳細に説明する。
【００６７】
第２の実施形態も、第１の実施形態と同様に、例えば金融機関等に設置されている、通帳等に記帳を行なう印字ユニットを備える自動取引装置に、本発明を適用する場合の実施形態を例示する。
【００６８】
（Ｂ−１）第２の実施形態の構成
図６は、第２の実施形態の自動取引装置（ＡＴＭ）２の構成を示す構成図である。図６において、第２の実施形態の自動取引装置２は、印字ユニット１１、操作表示部１２、カード入出口１３、紙幣入出口１４、硬貨入出口１５、通帳入出口１６、単票カセット５１を有する。
【００６９】
第２の実施形態が、第１の実施形態と異なる点は、印字ユニット１１が試し印字を通帳に行なうのではなく、通帳に代えて試し印字用の単票に行なう点である。
【００７０】
そのため、図６に示すように、第２の実施形態の自動取引装置２は、第１の実施形態の自動取引装置１の構成に加えて、単票を収納する単票カセット５１を備える構成である。
【００７１】
ここで、単票とは、試し印字用の通帳の見開きサイズの媒体である。第１の実施形態のように試し印字用の通帳を用いて試し印字を行っても良いが、そのような通帳を用いると、１媒体の単価が高いので、コストが掛かってしまう。また、誤って顧客用の通帳を使ってしまうこともあるので、通帳の代用の印字媒体として使われる。単票カセット５１は、試し印字の際に、印字ユニット１１に単票を送り出すことできる位置にある。例えば、図６の例では、印字ユニット１１の下部に単票カセット５１が設けられる場合を示す。
【００７２】
なお、第２の実施形態では、通帳の見開きサイズの媒体である単票を試し印字用媒体として用いる場合を例示するが、単票の半分のサイズである半単票を用いるようにしても良い。
【００７３】
図７は、第２の実施形態の自動取引装置２の内部構成を示す内部構成図である。図７において、自動取引装置２は、制御部２１、印字ユニット２２、インクリボンカセット検知部２３、通帳制御部２４、操作表示制御部２５、カード制御部２６、現金制御部２７、記憶部２８、通信部２９を有する。
【００７４】
印字ユニット２２、インクリボンカセット検知部２３、通帳制御部２４、操作表示制御部２５、カード制御部２６、現金制御部２７、記憶部２８、通信部２９は、第１の実施形態と同様の処理を行なうものであるので、ここでの詳細な説明を省略する。
【００７５】
制御部２１は、第１の実施形態と同様に、インクリボンカセット交換処理制御部２１１を有する。第２の実施形態のインクリボンカセット交換処理制御部２１１は、検知情報取得部３１、試し印字フラグ付与部３２、試し印字実行部３３、単票カセット確認部３４を有する。
【００７６】
検知情報取得部３１、試し印字フラグ付与部３２及び試し印字実行部３３は、第１の実施形態と同様の処理を行なうものであるため、ここでの詳細な説明は省略する。
【００７７】
単票カセット確認部３４は、試し印字を行なう際、単票カセット５１に単票があるか否かを確認するものである。単票カセット５１に単票がない場合には、試し印字を行なわず、単票がある場合には、単票カセット５１から単票を繰り出して試し印字を実行させる。
【００７８】
（Ｂ−２）第２の実施形態の動作
図８は、第２の実施形態のＡＴＭ２におけるインクリボンカセットの交換処理を説明するフローチャートである。
【００７９】
なお、図８において、第１の実施形態で説明した処理と同じ処理には、図５に示す処理番号を付している。
【００８０】
図８において、作業者がＡＴＭ２で記帳中止操作を行ない、ＡＴＭ２から印刷ユニット１１を取り出し、インクリボンカセット１１１を取り外すと試し印字フラグをＯＮにして、新しいインクリボンカセット１１１を装着するまでの処理は、第１の実施形態と同じである（Ｓ１０１〜Ｓ１０７）。
【００８１】
ここで、試し印字フラグがＯＮの場合、第１の実施形態と同様に、記帳処理ができず、又記帳中止の解除操作もできない。
【００８２】
Ｓ１０８において、制御部２１のインクリボンカセット交換処理制御部２１１が、インクリボンカセット装着検知部２３からの検知情報に基づいて、インクリボンカセット１１１が正常に装着されているか否かを判断する。
【００８３】
インクリボンカセット１１１が正常に装着されている場合、インクリボンカセット交換処理制御部２１１は、単票カセット５１に試し印字用の単票があるか否かを確認する（Ｓ２０１）。
【００８４】
そして、単票カセット５１に単票がある場合、例えば単票カセット５１から単票を繰り出すローラが駆動し、単票が印刷ユニット１１に繰り出される（Ｓ２０２）。印刷ユニット１１は、与えられた単票に、試し印字を行なう（Ｓ１１０）。
【００８５】
試し印字が完了すると、インクリボンカセット交換処理制御部２１１は、試し印字フラグをＯＦＦにする（Ｓ１１１）。これにより、記帳中止が解除される。
【００８６】
なお、ＡＴＭ２において、記帳中止の解除操作（例えば、通帳記帳の開始操作等）がなされると（Ｓ１１２）、制御部２１は試し印字フラグを確認し（Ｓ１１３）、試し印字フラグがＯＦＦの場合、通帳記帳を可能とし（Ｓ１１４）、試し印字フラグがＯＮの場合、通帳中止解除操作がなされても、記帳中止解除を無効とし、通帳記帳を不可とする（Ｓ１１５）。
【００８７】
（Ｂ−２）第２の実施形態の効果
以上のように、第２の実施形態によれば、第１の実施形態で説明した効果に加えて、単票を自動繰り出し、試し印字をすることにより、通帳試し印字忘れによるインクリボンのセットミスを防止させることが期待できるのである。
【００８８】
（Ｃ）第３の実施形態
次に、本発明の取引装置、インクリボン交換プログラム及びインクリボン交換方法の第３の実施形態を、図面を参照しながら詳細に説明する。
【００８９】
第３の実施形態も、第１の実施形態と同様に、例えば金融機関等に設置されている、通帳等に記帳を行なう印字ユニットを備える自動取引装置に、本発明を適用する場合の実施形態を例示する。
【００９０】
（Ｃ−１）第３の実施形態の構成及び動作
図９は、第３の実施形態の自動取引装置（ＡＴＭ）３の構成を示す構成図である。図９において、第２の実施形態の自動取引装置３は、印字ユニット１１、操作表示部１２、カード入出口１３、紙幣入出口１４、硬貨入出口１５、通帳入出口１６、単票カセット５１、半単票カセット５２を有する。
【００９１】
第３の実施形態の自動取引装置３は、第２の実施形態の構成に加えて、半単票を収納する半単票カセット５２を更に備える。半単票カセット５２は、単票カセット５１と同様に、印刷ユニット１１に媒体を繰り出すことができる位置に設けられる。
【００９２】
図１０は、第３の実施形態の自動取引装置３の内部構成を示す内部構成図である。図１０において、自動取引装置３は、制御部２１、印字ユニット２２、インクリボンカセット検知部２３、通帳制御部２４、操作表示制御部２５、カード制御部２６、現金制御部２７、記憶部２８、通信部２９を有する。
【００９３】
印字ユニット２２、インクリボンカセット検知部２３、通帳制御部２４、操作表示制御部２５、カード制御部２６、現金制御部２７、記憶部２８、通信部２９は、第１の実施形態と同様の処理を行なうものであるので、ここでの詳細な説明を省略する。
【００９４】
制御部２１は、第１及び第２の実施形態と同様に、インクリボンカセット交換処理制御部２１１を有する。第２の実施形態のインクリボンカセット交換処理制御部２１１は、検知情報取得部３１、試し印字フラグ付与部３２、試し印字実行部３３、単票カセット確認部３４、選択部３５を有する。
【００９５】
選択部３５は、作業者の操作に従って、試し印字用の媒体を選択するものである。例えば、選択部３５が、選択できる試し印字用媒体としては、通帳、単票、半単票等のいずれがある。
【００９６】
例えば、試し印字用媒体を通帳とする場合には、作業者が操作表示部１２を通じて通帳を選択する。これにより、印字ユニット１１は通帳入出口１６から挿入される通帳に試し印字を行なう。
【００９７】
また例えば、試し印字用媒体を単票とする場合には、作業者が操作表示部１２を通じて単票を選択する。これにより、印字ユニット１１は単票カセット５１から繰り出された単票に試し印字を行なう。
【００９８】
さらに例えば、試し印字用媒体を半単票とする場合には、作業者が操作表示部１２を通じて半単票を選択する。これにより、印字ユニット１１は半単票カセット５２から繰り出された半単票に試し印字を行なう。
【００９９】
第３の実施形態のインクリボンの交換処理の動作は、通帳とする場合には、第１の実施形態の動作、単票又は半単票とする場合には、第２の実施形態と対応する動作を行なうので、ここでの詳細な動作説明は省略する。
【０１００】
（Ｃ−２）第３の実施形態の効果
以上のように、第２の実施形態によれば、第１及び第２の実施形態で説明した効果に加えて、通帳、単票、半単票のいずれを選択でき、選択した通帳、単票、半単票を自動繰り出し、試し印字をすることにより、通帳試し印字忘れによるインクリボンのセットミスを防止させることが期待できるのである。
【０１０１】
（Ｄ）他の実施形態
上述した第１〜第３の実施形態においても種々の変形実施形態を説明したが、その他に以下のような変形実施形態にも本発明を適用できる。
【０１０２】
（Ｄ−１）上述した第１〜第３の実施形態は、本発明の取引装置が自動取引装置（ＡＴＭ）である場合を例示したが、印字ユニットを搭載した取引装置であれば、例えば、通帳記入装置、通帳発券装置、例えばチケット等の発券機、ＫＩＯＳＫ端末等にも適用することができる。
【０１０３】
（Ｄ−２）上述した第１〜第３の実施形態では、試し印字フラグがＯＮの場合、試し印字が実施されるまで、試し印字フラグを解除することができないものとして説明した。しかし、例えば、保守者等の特定の作業者が保守等を行なう場合には、試し印字が実施されなくても通常の印字処理ができることが望ましいときもある。そこで、そのような場合には、特別な操作により試し印字フラグを解除できるようにしてもよい。
【符号の説明】
【０１０４】
１及び２…自動取引装置、１１…印字ユニット、１１１…インクリボンカセット、１１２…印字ヘッド、１１３…インクリボン、
２１…制御部、２１１…インクリボンカセット交換処理制御部、２３…インクリボン装着検知部、
３１…検知情報取得部、３２…試し印字フラグ付与部、３３…試し印字実行部、３４…単票カセット確認部、５１…単票カセット。
【図１】
2013244612.tif 000003
【図２】
2013244612.tif 000004
【図３】
2013244612.tif 000005
【図４】
2013244612.tif 000006
【図５】
2013244612.tif 000007
【図６】
2013244612.tif 000008
【図７】
2013244612.tif 000009
【図８】
2013244612.tif 000010
【図９】
2013244612.tif 000011
【図１０】
2013244612.tif 000012